(57)【特許請求の範囲】
【請求項１】
記録媒体を載置する載置体と、前記載置体の上面に対して開閉可能とされるとともに閉じた状態において前記載置体に対して前後方向に移動自在に配設された蓋体とを有する記録媒体供給トレイであって、
記録媒体を載置した際に前記記録媒体の両側辺に対向する位置となる前記載置体の上面に、前記記録媒体の両側辺との間隙に余空間を設けるように支持壁を立設するとともに、前記支持壁の一部分を除去し、前記支持壁を除去した位置に前記記録媒体の方向へ移動可能な幅寄せ壁を立設し、
前記幅寄せ壁の前記記録媒体供給トレイに対する外面に幅寄せ用部材を形成し、
前記蓋体の下面に、前記幅寄せ用部材を押動し前記幅寄せ壁を前記記録媒体の方向に移動させる押動部材を形成し、
前記蓋体の両側辺の他端部に係合爪を形成し、
前記蓋体を閉じた状態において該蓋体を前記載置体に対して該載置体の前記記録媒体の供給口側に移動させることにより、前記押動部材が前記幅寄せ用部材を押動して前記幅寄せ壁を前記記録媒体の方向に移動させるとともに、前記係合爪が前記載置体に形成された係合孔と係合するように構成したことを特徴とする記録媒体供給トレイ。
【請求項２】
前記幅寄せ用部材を板ばねにより形成したことを特徴とする請求項１に記載の記録媒体供給トレイ。
【請求項３】
前記幅寄せ壁の前記記録媒体の側辺に対向する内面に、該幅寄せ壁の高さ方向に延在する半円筒形状の当接用部材を複数形成したことを特徴とする請求項１または請求項２に記載の記録媒体供給トレイ。
【請求項４】
前記蓋体を、一端部を回動中心として回動することにより前記載置体の上面に対して開閉可能としたことを特徴とする請求項１から請求項３のいずれか１項に記載の記録媒体供給トレイ。
【発明の詳細な説明】
【０００１】
【発明の属する技術分野】
本発明は記録媒体をプリント等に供給する記録媒体供給トレイに係り、一定の大きさ寸法の記録媒体のみを使用可能な記録媒体供給トレイに関する。
【０００２】
【従来の技術】
従来より、プリンタには、記録媒体を載置しプリンタが記録を行う際に記録媒体を供給する記録媒体供給トレイが取り付けられており、この記録媒体供給トレイには、一定の大きさ寸法の記録媒体のみを使用可能なものと、複数の大きさ寸法の記録媒体を使用可能なものとがある。
【０００３】
図４は、従来の一定の大きさ寸法の記録媒体のみを使用可能な記録媒体供給トレイを示す概念図であり、前記記録媒体供給トレイ２１は、前記記録媒体２２の両側辺を支持するための支持壁２３を有している。
【０００４】
これらの各支持壁２３は、記録媒体２２を前記記録媒体供給トレイ２１に載置したとき前記記録媒体２２の両側辺に対向する位置に固定的に設置されており、かつ両支持壁２３の間隔寸法は、前記記録媒体２２の幅寸法と比較して若干長い寸法となるように形成されている。
【０００５】
そして、これらの各支持壁２３により、記録媒体２２をプリンタに供給する際に前記記録媒体２２の両側辺が支持される。さらに、前記両支持壁２３の間隔寸法は、載置される記録媒体２２の幅寸法よりも長く形成されており、記録媒体２２を前記記録媒体供給トレイ２１に載置した際に前記記録媒体２２の側辺と支持壁２３との間隙に余空間が設けられるようになっているので、各支持壁２３の間隙に記録媒体２２を容易に載置することができるようになっている。
【０００６】
しかし、前記記録媒体供給トレイ２１をプリンタに取り付けて記録を行う際、前記記録媒体２２と前記各支持壁２３との間隙には余空間２５が設けられており、前記記録媒体２２はその幅方向に移動してしまうので、記録媒体２２の記録位置を固定することができず、安定して記録媒体２２をプリンタに供給することができなかった。
【０００７】
そこで、前記記録媒体を一方の支持壁に幅寄せする幅寄せ壁を有する記録媒体供給トレイが考えられている。
【０００８】
このような記録媒体供給トレイは、一の支持壁の長さ方向における中央部分の一部分が前記記録媒体の幅方向に移動可能な幅寄せ壁となされており、この幅寄せ壁は、例えば、手動により記録媒体方向に移動し、または前記幅寄せ壁の前記記録媒体供給トレイにおける外面に配設されたコイルばねにより記録媒体方向に常に押動されるようになされている。
【０００９】
そして、前記記録媒体供給トレイに記録媒体を載置する際には、幅寄せ壁を記録媒体供給トレイの外側方向に配置させ、記録媒体を載置した後、前記幅寄せ壁を内側方向に前記記録媒体の側辺に当接するように移動させる。このように前記幅寄せ壁により記録媒体を支持させることにより、記録媒体をプリンタに安定して供給していた。
【００１０】
【発明が解決しようとする課題】
しかし、手動により前記幅寄せ壁を移動する場合、幅寄せ壁の移動に手間がかかり、また幅寄せ壁を内側方向へ移動し忘れた場合には記録媒体を安定してプリンタに供給することができなかった。また、コイルばねにより前記幅寄せ壁を移動する場合、コイルばねの弾性により前記幅寄せ壁は記録媒体の方向に常に押動されているので、幅寄せ壁を外側方向へ移動させて押さえつけながら記録媒体を記録媒体供給トレイに載置しなければならず、記録媒体の載置が困難であるという問題を有していた。
【００１１】
本発明はこれらの点に鑑みてなされたものであり、記録媒体供給トレイに記録媒体を容易に載置することができ、かつ前記記録媒体を安定してプリンタに供給することができる記録媒体供給トレイを提供することを目的とする。
【００１２】
【課題を解決するための手段】
前記目的を達成するため、本発明に係る記録媒体供給トレイは、記録媒体を載置する載置体と、前記載置体の上面に対して開閉可能とされるとともに閉じた状態において前記載置体に対して前後方向に移動自在に配設された蓋体とを有する記録媒体供給トレイであって、記録媒体を載置した際に前記記録媒体の両側辺に対向する位置となる前記載置体の上面に、前記記録媒体の両側辺との間隙に余空間を設けるように支持壁を立設するとともに、前記支持壁の一部分を除去し、前記支持壁を除去した位置に前記記録媒体の方向へ移動可能な幅寄せ壁を立設し、前記幅寄せ壁の前記記録媒体供給トレイに対する外面に幅寄せ用部材を形成し、前記蓋体の下面に、前記幅寄せ用部材を押動し前記幅寄せ壁を前記記録媒体の方向に移動させる押動部材を形成し、前記蓋体の両側辺の他端部に係合爪を形成し、前記蓋体を閉じた状態において該蓋体を前記載置体に対して該載置体の前記記録媒体の供給口側に移動させることにより、前記押動部材が前記幅寄せ用部材を押動して前記幅寄せ壁を前記記録媒体の方向に移動させるとともに、前記係合爪が前記載置体に形成された係合孔と係合するように構成したことを特徴とする。
【００１３】
この本発明に係る記録媒体供給トレイによれば、蓋体により載置体の上面を被覆した状態において蓋体を記録媒体の供給口に移動させることにより、前記蓋体の押動部材と前記載置体の幅寄せ用部材とが係合して前記幅寄せ用部材を通じて前記幅寄せ壁が記録媒体の方向に移動するとともに、蓋体の係合爪が載置体の係合孔と係合する。これにより、蓋体と載置体とを閉じた状態に保持しながら、記録媒体供給トレイに載置された記録媒体の一側辺に前記載置体の支持壁を当接させるとともに、他の側辺に前記載置体の幅寄せ壁を当接させることができる。また、支持壁と記録媒体との間隙に余空間が設けられるように支持壁が配設されているので、記録媒体を容易に載置体に載置することができる。
【００１４】
また、本発明に係る他の記録媒体供給トレイは、前記幅寄せ用部材を板ばねにより形成したことを特徴とする。
【００１５】
この本発明に係る他の記録媒体供給トレイによれば、板ばねは弾性を有するので、押動部材により柔軟に押動されることができるとともに、前記板ばねを介して前記幅寄せ壁は記録媒体に柔軟に当接することができる。
さらに、本発明に係る他の記録媒体供給トレイは、前記幅寄せ壁の前記記録媒体の側辺に対向する内面に、該幅寄せ壁の高さ方向に延在する半円筒形状の当接用部材を複数形成したことを特徴とする。
この本発明に係る他の記録媒体供給トレイによれば、幅寄せ壁を記録媒体の方向に移動させることにより、当接用部材の表面を記録媒体の側辺に当接させることができ、これにより、記録媒体を支持壁の方向に確実に押圧させることができる。
さらにまた、本発明に係る他の記録媒体供給トレイは、前記蓋体を、一端部を回動中心として回動することにより前記載置体の上面に対して開閉可能としたことを特徴とする。  この本発明に係る他の記録媒体供給トレイによれば、前記蓋体を回動させることにより、載置体の上面を被覆することができる。
【００１６】
【発明の実施の形態】
以下、本発明の実施形態を図１から図３を参照して説明する。
【００１７】
図１は、本実施形態に係る一定の大きさ寸法の記録媒体のみを使用可能な記録媒体供給トレイの斜視図を示すものである。図１に示すように、前記記録媒体供給トレイ１は、記録媒体２を積層して収納するための載置体３を有しており、前記載置体３の一端辺は、プリンタに挿入され前記記録媒体２をプリンタに供給する供給口４となされている。
【００１８】
前記載置体３の中央部分のほぼ全体には、前記記録媒体２を載置する載置板６が形成されており、この載置板６は、前記記録媒体供給トレイ１をプリンタに挿入したときプリンタの図示しない突出部材が前記載置板６の裏面に当接し、上方へ持ち上げるようになされている。
【００１９】
また、前記記録媒体供給トレイ１には、前記載置板６に記録媒体２を載置した際に前記記録媒体２の両側辺と対向する位置に支持壁７ａ、７ｂが立設されている。これらの各支持壁７ａ、７ｂの間隔寸法は、前記記録媒体供給トレイ１に使用可能な記録媒体２の幅寸法と比較して若干長い寸法となるように形成されており、前記各支持壁７ａ、７ｂと前記記録媒体２との間隙には、余空間８が設けられるようになされている。
【００２０】
また、前記両支持壁７ａ、７ｂのうち一方の支持壁７ａの長さ方向における中央部分の一部分は、除去されており、この支持壁７ａが除去された位置には、幅寄せ壁１０が前記記録媒体２の幅方向に移動可能に立設されている。
【００２１】
この幅寄せ壁１０の記録媒体２の側辺に対向する内面には、前記幅寄せ壁１０の高さ方向に延在した半円筒形状の複数の当接用部材１１がほぼ等間隔に形成されている。また、前記幅寄せ壁１０の記録媒体２の側辺に対向する面と反対側の外面には、幅寄せ用部材１２が配設されており、この幅寄せ用部材１２は、前記幅寄せ部材１２の両端部分が前記記録媒体供給トレイ１における外側方向に傾斜し、その両先端部分が前記幅寄せ壁１０と平行となるように延在する形状に形成されている。この幅寄せ用部材１２は、板ばね等の弾性を有する材料により形成されるとよい。
【００２２】
さらに、前記載置体３の供給口４と反対側の両側辺の端部には、図示しないピンが形成されており、また第１蓋体１４の両側辺の一端部には、前記ピンと係合する図示しない長穴が形成されている。そして、このピンが前記長穴の円形状に沿って回動することにより、第１蓋体１４は、前記載置体３に対して開閉自在に回動するように配設されている。また、このピンが前記長穴の線状に沿って移動することにより、前記第１蓋体１４は、前記載置体３の前後方向に移動自在になされている。さらに、この第１蓋体の両側辺の他端部には、係合爪１６が形成されており、前記係合爪１６は、前記第１蓋体１４を閉じた状態として前記供給口４の方向へ移動させたときに前記載置体３に形成された係合孔１８と係合して前記載置体３と前記第１蓋体１４とを閉じた状態に保持するようになされている。また、前記第１蓋体１４は、前記載置体３がプリンタに装着された状態で前記載置体３のプリンタに装着されない他の部分の上面が被覆される程度の大きさ寸法に形成されている。
【００２３】
また、この第１蓋体１４の内側であって、前記第１蓋体１４を閉じて前記載置体３の上面を被覆させたとき前記幅寄せ壁１０の幅寄せ用部材１２の両端部に対応する位置には、２つの押動部材１５が形成されている。そして、図２に示すように、前記各押動部材１５は、前記第１蓋体１４を回動させて閉じた後、前記載置体３の供給口４の方向に移動させたときに、図３に示すように、前記幅寄せ用部材１２の各両端部を前記記録媒体２の方向へ押動するようになされている。また、前記幅寄せ部材１２が押動されることにより、前記幅寄せ壁１０は、記録媒体２の方向に移動され、前記幅寄せ壁１０の当接用部材１１を前記記録媒体２の側辺に当接させるようになされている。
【００２４】
また、前記第１蓋体１４の上端部分には、前記第１蓋体１４を閉じたときに記録媒体２の上面を押さえつける押さえ部材１７が配設されている。
【００２５】
さらに、前記第１蓋体１４の両側辺の中央部分には、第２蓋体１９が前記第１蓋体１４に対して開閉可能に回動するように配設されており、前記第２蓋体１９は、前記第２蓋体１９を回動して前記第１蓋体１４および前記載置体４の上面を閉じたときに前記載置体４の上面全体が被覆される程度の大きさ寸法に形成されている。この第２蓋体１９は、前記記録媒体供給トレイ１をプリンタに使用しないときに、前記載置体３の上面を被覆するように利用されるものである。
【００２６】
次に、本実施形態の作用について説明する。
【００２７】
まず、前記載置体３の幅寄せ壁１０を外側方向に位置させる状態で、載置板６の上面に記録媒体２を積層して載置する。次に、第１蓋体１４を閉じて前記載置体３の上面を被覆する。このとき、第１蓋体１４の各押動部材１５は、前記載置体３の幅寄せ用部材１２の両端部に当接する。また、押さえ部材１７は、前記記録媒体２の上面に当接する。
【００２８】
そして、前記第１蓋体１４を前記供給口４の方向に移動させると、前記第１蓋体１４の係合爪１６が前記載置体３の係合孔１８に係合し、前記第１蓋体１４と前記載置体３とを閉じた状態に保持するとともに、前記各押動部材１５は、前記幅寄せ用部材１２を記録媒体２の方向に押動する。この幅寄せ用部材１２が押動される動作に連動して、前記幅寄せ壁１０は、記録媒体２の方向に移動し、前記当接用部材１１の表面が前記記録媒体２の側辺に当接する。この結果、記録媒体２は、前記支持壁７ｂの方向へ押圧され、これにより、前記記録媒体２の両側辺が前記幅寄せ壁１０および前記支持壁７ｂに当接し、前記記録媒体２が揃った状態となる。
【００２９】
この状態で、前記載置体３の供給口４をプリンタに装着すると、プリンタの突出部材が前記載置板６の裏面に当接して前記載置板６の端部を上方へ持ち上げ、これにより、最上部の記録媒体２から１枚ずつプリンタに供給される。
【００３０】
本実施形態においては、第１蓋体１４を閉じるだけで、記録媒体供給トレイ１に載置された記録媒体２の一側辺に前記載置体３の当接用部材１１の表面を当接させることができ、この結果、前記記録媒体２を前記支持壁７ｂの方向に押圧して前記記録媒体の他の側辺を支持壁７ｂに当接させることにより、前記記録媒体を揃った状態にすることができる。
【００３１】
したがって、容易に幅寄せ壁１０を記録媒体２の方向に移動させることにより、前記記録媒体２の両側辺を前記支持壁７および幅寄せ壁１０によって確実に支持することができる。この結果、記録媒体２の位置が固定するので、安定してプリンタに記録媒体２を供給することができ、高品質の記録を得ることができる。
【００３２】
また、前記支持壁７と記録媒体２の間隙には、余空間８が設けられているので、記録媒体２を容易に載置体３に載置することができる。さらに、従来の幅寄せ壁をコイルばねにより記録媒体の方向へ移動させる方法と比較して、幅寄せ壁１０を外側方向に押さえつけていなくても、容易に記録媒体２を載置体３に載置することができる。
【００３３】
また、幅寄せ用部材１２が弾性を有する板ばねにより形成されているので、前記押動部材１５と柔軟に押動することができるとともに、前記幅寄せ用部材１２により記録媒体２の方向に移動した前記当接用部材１１は、記録媒体２の側辺に対し柔軟に当接することができ、記録媒体２を傷めることがない。
【００３４】
なお、本実施形態においては、載置体３の蓋部となる第１蓋体１４は、載置体３に対して回動可能に配設されているが、これに限定されるものではなく、載置体３に対して前後動することにより開閉自在に配設され、前記第１蓋体１４を供給口４の方向である前方向に移動させることにより載置体３の上面を被覆し、これにより、前記第１蓋体１４に形成された押動部材１５で載置体３の幅寄せ用部材１２を押動するものであってもよい。
【００３５】
また、本実施形態においては、載置体３の蓋部として第１蓋体１４の他に第２蓋体１９が設けられているが、第２蓋体１９を設けないものであってもよい。
【００３６】
さらに、本実施形態においては、幅寄せ壁１０の記録媒体２に対向する内面に当接用部材１１が形成されているが、当接用部材１１を形成しないものであってもよい。
【００３７】
また、本発明は前記実施形態に限定されるものではなく、必要に応じて種々変更することが可能である。
【００３８】
【発明の効果】
以上述べたように、本発明に係る記録媒体供給トレイによれば、容易に幅寄せ壁を記録媒体の方向に移動させることにより、前記記録媒体の両側辺を前記支持壁および幅寄せ壁によって確実に支持することができる。この結果、記録媒体の位置が固定するので、安定してプリンタに記録媒体を供給することができる。
【００３９】
また、前記支持壁と記録媒体の間隙には、余空間が設けられるように形成されているので、記録媒体を容易に載置体に載置することができる。
【００４０】
また、本発明に係る他の記録媒体供給トレイによれば、板ばねにより形成された幅寄せ用部材により記録媒体の方向に移動した前記幅寄せ壁は、記録媒体の側辺に対し柔軟に当接することができ、記録媒体を傷めることがない。
さらに、幅寄せ壁を記録媒体の方向に移動させることにより、当接用部材の表面を記録媒体の側辺に当接させることができ、これにより、記録媒体を支持壁の方向に確実に押圧させることができる。
さらにまた、前記蓋体を回動させることにより、前記載置体の上面を被覆することができる。
【図面の簡単な説明】
【図１】  本発明に係る記録媒体供給トレイを示す斜視図
【図２】  図１に示す記録媒体供給トレイの第１蓋体を載置体の上面を被覆した場合を示す断面概念図
【図３】  図２に示す第１蓋体を供給口の方向に移動させた場合を示す断面概念図
【図４】  従来の記録媒体供給トレイを示す平面概念図
【符号の説明】
１  記録媒体供給トレイ
２  記録媒体
３  載置体
４  供給口
７ａ、７ｂ  支持壁
８  余空間
１０  幅寄せ壁
１２  幅寄せ用部材
１４  第一蓋体
１５  押動部材
【図１】
0003843218.tif 000002
【図２】
0003843218.tif 000003
【図３】
0003843218.tif 000004
【図４】
0003843218.tif 000005